(57)【要約】【課題】監視対象者の状態を推定する状態推定装置において、より短時間で監視対象者の状態を推定できるようにする。【解決手段】注意力推定システムにおいては、固視微動のうちのマイクロサッカードが発生したときの視線角度の変化状況を含むマイクロサッカード情報を取得し（Ｓ１５）、マイクロサッカード情報に基づいて監視対象者の状態を推定する（Ｓ２０）。このような状態推定装置によれば、マイクロサッカードが発生したときの視線角度の変化状況を含むマイクロサッカード情報を用いて監視対象者の状態を推定するので、より短時間で監視対象者の状態を推定することができる。【選択図】図２
2015116376.tif 000002
【特許請求の範囲】
【請求項１】
監視対象者の眼球の固視微動に基づいて前記監視対象者の状態を推定する状態推定装置（１０）であって、
前記固視微動のうちのマイクロサッカードが発生したときの視線角度の変化状況を含むマイクロサッカード情報を取得するマイクロサッカード情報取得手段（Ｓ１５）と、
前記マイクロサッカード情報に基づいて前記監視対象者の状態を推定する状態推定手段（Ｓ２５）と、
を備えたことを特徴とする状態推定装置。
【請求項２】
請求項１に記載の状態推定装置において、
前記状態推定手段は、マイクロサッカードが発生したときの視線角度の振幅に基づいて前記監視対象者の状態を推定すること
を特徴とする状態推定装置。
【請求項３】
請求項２に記載の状態推定装置において、
前記状態推定手段は、前記振幅が小さくなるにつれて、より監視対象者の集中力が低い状態であると推定すること
を特徴とする状態推定装置。
【請求項４】
請求項２または請求項３に記載の状態推定装置において、
前記状態推定手段は、前記視線角度の移動平均を基準として前記振幅を演算すること
を特徴とする状態推定装置。
【請求項５】
請求項１〜請求項４の何れか１項に記載の状態推定装置において、
前記マイクロサッカード情報取得手段は、前記マイクロサッカード情報として、マイクロサッカード後の視線角度の停留時間も取得し、
前記状態推定手段は、前記停留時間も加味して前記監視対象者の状態を推定すること
を特徴とする状態推定装置。
【請求項６】
請求項５に記載の状態推定装置において、
前記状態推定手段は、前記停留時間が短くなるにつれて、より監視対象者の集中力が低い状態であると推定すること
を特徴とする状態推定装置。
【請求項７】
請求項１〜請求項６の何れか１項に記載の状態推定装置において、
前記監視対象者の瞬きの頻度を取得する瞬き頻度取得手段（Ｓ２４０）、を備え、
前記状態推定手段は、前記瞬きの頻度も加味して前記監視対象者の状態を推定すること
を特徴とする状態推定装置。
【請求項８】
請求項７に記載の状態推定装置において、
前記状態推定手段は、前記瞬きの頻度が低くなるにつれて、より監視対象者の集中力が低い状態であると推定すること
を特徴とする状態推定装置。
【請求項９】
請求項１〜請求項８の何れか１項に記載の状態推定装置において、
前記マイクロサッカード情報取得手段は、前記マイクロサッカード情報として、マイクロサッカードの発生頻度も取得し、
前記状態推定手段は、前記発生頻度も加味して前記監視対象者の状態を推定すること
を特徴とする状態推定装置。
【請求項１０】
請求項９に記載の状態推定装置において、
前記状態推定手段は、前記発生頻度が低くなるにつれて、より監視対象者の集中力が低い状態であると推定すること
を特徴とする状態推定装置。
【請求項１１】
請求項１〜請求項１０の何れか１項に記載の状態推定装置において、
前記状態推定手段は、前記監視対象者の視線方向に含まれる視認対象物に対する集中力の程度を前記状態として推定すること
を特徴とする状態推定装置。
【請求項１２】
請求項１〜請求項１１の何れか１項に記載の状態推定装置において、
前記監視対象者の状態に応じて警報を行う警報手段（Ｓ３５０）
を備えたことを特徴とする状態推定装置。
【請求項１３】
請求項１〜請求項１２の何れか１項に記載の状態推定装置において、
当該状態推定装置は車両に搭載され、前記監視対象者として前記車両の運転者の状態を推定するよう構成されていること
を特徴とする状態推定装置。
【請求項１４】
請求項１３に記載の状態推定装置において、
前記車両の走行状態を示す車両パラメータを取得する車両パラメータ取得手段（Ｓ４１０およびＳ４２０）と、
前記車両パラメータに基づいて前記マイクロサッカード情報を補正するマイクロサッカード情報補正手段（Ｓ３３０）と、
を備えたことを特徴とする状態推定装置。
【請求項１５】
コンピュータを、請求項１〜請求項１４の何れか１項に記載の状態推定装置を構成する各手段として機能させるための状態推定プログラム。
【発明の詳細な説明】
【技術分野】
【０００１】
本発明は、監視対象者の状態を推定する状態推定装置、および状態推定プログラムに関する。
【背景技術】
【０００２】
上記の状態推定装置として、監視対象者の固視微動を監視し、固視微動の発生頻度がデータベースと一致するかどうかに応じて監視対象者の状態を推定するものが知られている（例えば、特許文献１参照）。
【先行技術文献】
【特許文献】
【０００３】
【特許文献１】特許第５３０２１９３号公報
【発明の概要】
【発明が解決しようとする課題】
【０００４】
しかしながら、上記状態推定装置では、固視微動の発生頻度を検出するまでに数十秒程度の時間が必要となるという問題点があった。
そこで、このような問題点を鑑み、監視対象者の状態を推定する状態推定装置において、より短時間で監視対象者の状態を推定できるようにすることを本発明の目的とする。
【課題を解決するための手段】
【０００５】
本発明の状態推定装置において、マイクロサッカード情報取得手段は、固視微動のうちのマイクロサッカードが発生したときの視線角度の変化状況を含むマイクロサッカード情報を取得する。そして、状態推定手段は、マイクロサッカード情報に基づいて監視対象者の状態を推定する。
【０００６】
このような状態推定装置によれば、マイクロサッカードが発生したときの視線角度の変化状況を含むマイクロサッカード情報を用いて監視対象者の状態を推定するので、より短時間で監視対象者の状態を推定することができる。
【０００７】
なお、上記目的を達成するためには、コンピュータを、状態推定装置を構成する各手段として実現するための状態推定プログラムとしてもよい。また、各請求項の記載は、可能な限りにおいて任意に組み合わせることができる。この際、発明の目的を達成できる範囲内において一部構成を除外してもよい。
【図面の簡単な説明】
【０００８】
【図１】本発明が適用された注意力推定システム１の概略構成を示すブロック図である。
【図２】制御部１０（ＣＰＵ１１）が実行する注意力推定処理を示すフローチャートである。
【図３】注意力推定処理のうちの画像認識処理を示すフローチャートである。
【図４】注意力推定処理のうちのマイクロサッカード演算処理を示すフローチャートである。
【図５】マイクロサッカード発生時の視線角度の時間変化を示すグラフである。
【図６】実施形態における注意力推定処理のうちの出力処理を示すフローチャートである。
【図７】変形例における注意力推定処理のうちの出力処理を示すフローチャートである。
【発明を実施するための形態】
【０００９】
以下に本発明にかかる実施の形態を図面と共に説明する。
［本実施形態の構成］
本発明が適用された注意力推定システム１は、乗用車等の車両（自車両）に搭載され、監視対象者となる運転者の眼球の固視微動に基づいて運転者の状態が注意力を欠いた状態であるか否かを認識し、運転者の状態が注意力を欠いた状態である場合、警報を行うシステムである。
【００１０】
詳細には注意力推定システム１は、図１に示すように、制御部１０、カメラ２１、照明部２２、舵角センサ２５、車速センサ２６、警報部３１を備えている。
カメラ２１は、車両の内部において運転者の前方に配置されており、運転者の眼球が撮像範囲内になるよう設定されている。例えば、カメラ２１は運転者が装着するゴーグルの内部において配置され、顔の動きによらず眼球との位置関係が変化しないよう設定されている。
【００１１】
なお、カメラ２１は、眼球の細かな動き（眼球の角度）を撮像できる構成であれば、上記のように配置されている必要はなく、例えば、撮像画像中に監視対象者の顔全体が含まれるように配置されてもよい。また、カメラ２１は、運転者の眼球の固視微動であるマイクロサッカードを検出可能な周期（例えば２００ｆｐｓ（フレーム毎秒）程度のフレームレート）と精度（例えば０．０５度の角度差を検出可能な精度）で撮像可能な高速かつ高精度なカメラとして構成されている。
【００１２】
照明部２２は、カメラ２１のための補助光源として機能し、カメラ２１の撮像範囲内となる運転者の顔に向けて例えば赤外光を照射する。赤外光の照射タイミングについては、常時点灯していてもよいし、カメラ２１による撮像周期と同期するよう、発光タイミングが制御部１０によって制御されるよう構成されていてもよい。
【００１３】
舵角センサ２５は、運転者のハンドル操作によるハンドル位置を検出するセンサであり、周知の舵角センサとして構成されている。舵角センサ２５が検出する舵角は、制御部１０にて認識されるよう設定されている。
【００１４】
車速センサ２６は、自車両の走行速度を検出する周知の車速センサとして構成されている。車速センサ２６は車速の検出結果を制御部１０に送る。
警報部３１は、音や光で運転者に注意を促すための構成であり、制御部１０からの指令を受けて作動する。なお、警報部３１は、制御部１０からの指令を受けて、運転者のシートに埋め込まれたバイブレータが作動することで警報したり、制御部１０からの指令を受けて、車両における空調装置の風量や風向、或いは設定温度を変更することで警報したりするようにしてもよい。
【００１５】
制御部１０は、ＣＰＵ１１、およびＲＯＭ、ＲＡＭ等のメモリ１２を備えた周知のコンピュータとして構成されている。ＣＰＵ１１は、メモリ１２に記録されたプログラムに従って後述する各種処理を実施する。
【００１６】
［本実施形態の処理］
このように構成された注意力推定システム１において、制御部１０は、図２以下に示す注意力推定処理を実施する。注意力推定処理は、例えば注意力推定システム１の電源が投入されると開始される処理であり、その後、一定周期毎に繰り返し実施される処理である。
【００１７】
この処理では、図２（ａ）に示すように、まず、画像認識処理を実施する（Ｓ１０）。画像認識処理は、カメラ２１から取得した撮像画像から運転者（監視対象者）の眼球の細かな動きを検出する処理である。
【００１８】
画像認識処理は、図３に示すように、まず、カメラ２１による撮像画像を取得する（Ｓ１１０）。続いて、撮像画像中の瞳孔を抽出する（Ｓ１１５）。この処理では、撮像画像内の黒い丸を瞳孔として抽出する。なお、撮像画像中に監視対象者の顔全体が含まれるようカメラ２１を配置している場合には、撮像画像中の眼球の位置を検出し、その中の黒い丸を瞳孔として抽出して位置を記録する。
【００１９】
続いて、角膜反射像を抽出する（Ｓ１２０）。角膜反射像は、瞳孔内において光源からの光が角膜によって反射された反射光であり、撮像画像中では白い点となる。この白い点の位置を記録する。
【００２０】
そして、瞳孔の位置と角膜反射像の位置との位置関係（それぞれの位置・角度、相対距離等）に従って、視線角度を演算する（Ｓ１２５）。ここでの視線角度は、車両の左右方向と概ね一致する水平方向と、水平方向とは直交する垂直方向との両方を意味する。
【００２１】
続いて、演算した視線角度をメモリ１２に保存し（Ｓ１３０）、視線角加速度を演算する（Ｓ１３５）。視線角加速度は、メモリ１２に保存された過去数フレーム分（各加速度を求めるために十分なフレーム数であり、例えば１０フレーム分等）の視線角度を利用して、視線角度の変化量を時間で除することで求める。
【００２２】
そして、瞬目（瞬き）についても抽出する（Ｓ１４０）。瞬目については、例えば瞳孔が抽出できない場合に瞬目を行っていると認識する。また、上瞼の曲率半径に基づいて瞬目の判断を行ってもよい。
【００２３】
また、瞬目については、その時刻がメモリ１２に記録される。Ｓ１４０の処理が終了すると、画像認識処理を終了する。
次に、図２（ａ）に戻り、マイクロサッカード演算処理を実施する（Ｓ１５）。マイクロサッカード演算処理は、運転者によるマイクロサッカードに関して運転者の注意力を推定するためのパラメータを演算する処理である。
【００２４】
マイクロサッカード演算処理では、図４に示すように、まず、マイクロサッカードを抽出する（Ｓ２１０）。この処理では、視線角加速度が基準角速度（例えば、１２００deg/s２）以上であり、かつ視線の移動距離（視線角度の変化が開始してから停止するまでの視線角度の差）が基準距離（例えば、２deg）未満である条件を満たした場合、マイクロサッカードが発生したものとする。
【００２５】
つまり、この処理では、運転者の意図しない十分小さな視線角度の変化であって、かつ視線角速度の大きなものをマイクロサッカードとして抽出している。
続いて、有効時間を演算する（Ｓ２１５）。ここで、有効時間とは、瞬目の前後の所定時間内（瞬目によって眼球が動く時間帯（例えば瞬目の前後各２００ｍｓ））を除いた時間を有効時間とする。
【００２６】
次に、マイクロサッカード発生頻度［Ａ］を演算する（Ｓ２２０）。この処理では、例えば、一定時間内（例えば３０秒間程度）のマイクロサッカード発生回数をカウントし、この発生回数を同じ一定時間内に含まれる有効時間で除することで求める。
【００２７】
続いて、瞬目発生前後を除く視線角度（例えば有効時間内の視線角度）にローパスフィルタを掛ける（Ｓ２２５）。このように視線角度にローパスフィルタを掛けた値は視線角度の振幅を求める際の振幅基準原点（ゼロ点）として利用される。
【００２８】
そして、マイクロサッカード発生後の視線角度振幅［Ｂ］を演算する（Ｓ２３０）。視線角度振幅は、振幅基準原点とマイクロサッカードが発生して視線移動が停止したときの角度との差を意味する。
【００２９】
続いて、停留時間比［Ｃ］を演算する（Ｓ２３５）。この処理では、マイクロサッカード発生後の視線停留時間、つまり、マイクロサッカードが発生して視線移動が停止してから次に移動するまでの時間を、視線角度振幅で除することで、停留時間比［Ｃ］を求める。
【００３０】
続いて、瞬目頻度［Ｄ］を演算する（Ｓ２４０）。瞬目頻度は一定時間内（例えば３０秒間程度）の瞬目の回数をカウントすることにより行う。
このような処理を終了すると、マイクロサッカード演算処理を終了する。ここで、時間に応じた視線角度の変化の一例をグラフ化すると、例えば図５に示すような結果が得られる。
【００３１】
なお、図５に示す例では、マイクロサッカードが発生した部位に下向き三角印（▼）を付している。また、図５中の破線は、振幅基準原点（視線移動平均）を示している。
また、図５に示すグラフを得るにあたっては、同一の被験者にドライビングシミュレータを利用した模擬運転を実施させた。模擬運転中において別のタスク（例えば暗算問題を解答させる等）を被験者に要求しないで運転に集中させた結果（注意力十分状態）を図５（ａ）に示し、模擬運転中において別のタスクを実施するよう被験者に要求した結果（注意力不十分状態）を図５（ｂ）に示す。
【００３２】
運転者の注意力が十分である場合には、図５（ａ）に示すように、運転者の注意力が不十分である場合と比較して、マイクロサッカード発生頻度［Ａ］が高く、この際の視線角度振幅［Ｂ］も大きくなることが分かる。
【００３３】
また、停留時間比［Ｃ］は、注意力が十分である場合に、運転者の注意力が不十分である場合と比較して、小さくなる傾向がある。また、瞬目頻度［Ｄ］は、注意力が十分である場合に、運転者の注意力が不十分である場合と比較して、多くなる傾向がある。
【００３４】
そこで、このような傾向があることが分かったため、図２（ａ）に戻り、これらの傾向を利用して、出力処理を実施する（Ｓ２５）。出力処理は、演算したパラメータについて閾値との比較を行うことで運転者の状態を推定して出力（警報）する処理である。
【００３５】
この処理では、まず、マイクロサッカード発生頻度［Ａ］と予め設定された発生閾値とを比較する（Ｓ３１０）。ここで本処理または以下の処理での閾値は、注意力が十分な人の平均的な値（ここではマイクロサッカード発生頻度）と、注意力が不十分な人の平均的な値との中間の値に設定される。
【００３６】
マイクロサッカード発生頻度［Ａ］が発生閾値未満であれば（Ｓ３１０：ＹＥＳ）、後述するＳ３５０の処理に移行する。また、マイクロサッカード発生頻度［Ａ］が発生閾値以上であれば（Ｓ３１０：ＮＯ）、視線角度振幅［Ｂ］と予め設定された振幅閾値とを比較する（Ｓ３１５）。
【００３７】
視線角度振幅［Ｂ］が振幅閾値未満であれば（Ｓ３１５：ＹＥＳ）、後述するＳ３５０の処理に移行する。また、視線角度振幅［Ｂ］が振幅閾値以上であれば（Ｓ３１５：ＮＯ）、停留時間比［Ｃ］と予め設定された時間閾値とを比較する（Ｓ３２０）。
【００３８】
停留時間比［Ｃ］が時間閾値以上であれば（Ｓ３２０：ＹＥＳ）、後述するＳ３５０の処理に移行する。また、停留時間比［Ｃ］が時間閾値未満であれば（Ｓ３２０：ＮＯ）、マイクロサッカード発生頻度［Ａ］、視線角度振幅［Ｂ］、停留時間比［Ｃ］のそれぞれの変化率（例えば２０秒前から１０秒前までの間の各値またはその平均値、および１０秒前から現在までの各値またはその平均値における変化の大きさ）と予め設定された変動閾値とを比較する。
【００３９】
マイクロサッカード発生頻度［Ａ］、視線角度振幅［Ｂ］、停留時間比［Ｃ］の変化率が変動閾値以上であれば（Ｓ３２５：ＹＥＳ）、後述するＳ３５０の処理に移行する。また、マイクロサッカード発生頻度［Ａ］、視線角度振幅［Ｂ］、停留時間比［Ｃ］の変化率が変動閾値未満であれば（Ｓ３２５：ＮＯ）、マイクロサッカード発生頻度［Ａ］、視線角度振幅［Ｂ］、停留時間比［Ｃ］に対する重み付けを設定する（Ｓ３３０）。
【００４０】
ここで重み付けを設定する際には、マイクロサッカード発生頻度［Ａ］、視線角度振幅［Ｂ］、停留時間比［Ｃ］に対してそれぞれ係数Ｗ１、Ｗ２、Ｗ３を設定するが、係数Ｗ１、Ｗ２、Ｗ３の値は、マイクロサッカード発生頻度［Ａ］、視線角度振幅［Ｂ］、停留時間比［Ｃ］のうちの何れを重視するかによって任意に設定される。
【００４１】
続いて、総合値Ｓを算出する（Ｓ３３５）。総合値Ｓは、マイクロサッカード発生頻度［Ａ］にＷ１を乗じ、視線角度振幅［Ｂ］にＷ２を乗じ、停留時間比［Ｃ］にＷ３を乗じ、これらのそれぞれの値を加算した値として求められる。
【００４２】
そして、総合値Ｓと予め設定された総合基準値とを比較する（Ｓ３４０）。総合基準値は、注意力不足のときの総合値Ｓと注意力が十分であるときの総合値Ｓとの傾向を鑑みてこれらの中間の値に設定される。
【００４３】
総合値Ｓが総合基準値未満であれば（Ｓ３４０：ＹＥＳ）、後述するＳ３５０の処理に移行する。また、総合値Ｓが総合基準値以上であれば（Ｓ３４０：ＮＯ）、瞬目頻度［Ｄ］と予め設定された瞬目閾値とを比較する（Ｓ３４５）。
【００４４】
瞬目頻度［Ｄ］が瞬目閾値未満であれば（Ｓ３４５：ＹＥＳ）、注意力低下信号を出力し（Ｓ３５０）、Ｓ３５５の処理に移行する。ここで、注意力低下信号は、制御部１０外に出力される信号であり、例えば、警報部３１に出力される。警報部３１は、この注意力低下信号を受けると、運転者に対する警報を行う。
【００４５】
また、瞬目頻度［Ｄ］が瞬目閾値以上であれば（Ｓ３４５：ＮＯ）、マイクロサッカード発生頻度［Ａ］、視線角度振幅［Ｂ］、停留時間比［Ｃ］、および瞬目頻度［Ｄ］をメモリ１２に記録させ（Ｓ３５５）、出力処理を終了する。このような出力処理が終了すると、注意力推定処理を終了する。
【００４６】
［本実施形態による効果］
以上のように詳述した本発明の注意力推定システム１において制御部１０（ＣＰＵ１１）は、固視微動のうちのマイクロサッカードが発生したときの視線角度の変化状況を含むマイクロサッカード情報を取得し、マイクロサッカード情報に基づいて監視対象者の状態を推定する。
【００４７】
このような注意力推定システム１によれば、マイクロサッカードが発生したときの視線角度の変化状況を含むマイクロサッカード情報を用いて監視対象者の状態を推定するので、より短時間で監視対象者の状態を推定することができる。
【００４８】
ここで、本発明の発明者は、監視対象者の状態が良好な場合、マイクロサッカードが発生したときの視線角度の振幅が比較的大きくなり、また、監視対象者の状態が注意力を欠如している等、不良な場合、マイクロサッカードが発生したときの視線角度の振幅が比較的小さくなることを発見した。
【００４９】
そこで、本発明において制御部１０は、マイクロサッカードが発生したときの視線角度の振幅に基づいて監視対象者の状態を推定している。そして、特に、振幅が大きく（小さく）なるにつれて、より監視対象者の集中力が高い（低い）状態であると推定している。
【００５０】
このような注意力推定システム１によれば、監視対象者の視線方向は対象物を見ているが、この対象物を注意して見ていないという状態（注意力不足状態）をより簡素なアルゴリズムで推定することができる。
【００５１】
加えて上記注意力推定システム１において制御部１０は、視線角度の移動平均を基準として振幅を演算する。
このような注意力推定システム１によれば、視線角度の移動平均（直近の過去基準時間内の視線角度の平均値）を基準とするので、簡素な構成で振幅を演算することができる。
【００５２】
また、発明者は、監視対象者の状態が良好な場合、マイクロサッカード後の視線角度の停留時間が比較的長くなり、また、監視対象者の状態が不良な場合、マイクロサッカードが発生したときの視線角度の停留時間が比較的短くなることを発見した。併せて、停留時間を振幅で除した停留時間比についてはより顕著な傾向があることを発見した。
【００５３】
そこで、本発明において制御部１０は、マイクロサッカードが発生したときの視線角度の停留時間（停留時間比）に基づいて監視対象者の状態を推定している。そして、特に、停留時間が長く（短く）なるにつれて、より監視対象者の集中力が高い（低い）状態であると推定している。
【００５４】
このような注意力推定システム１によれば、視線角度の変化状況に加え、停留時間（停留時間比）も加味するので、より精度よく監視対象者の状態を推定することができる。
また、本発明において制御部１０は、瞬きの頻度も利用して監視対象者の状態を推定している。特に、瞬きの頻度が高く（低く）なるにつれて、より監視対象者の集中力が高い（低い）状態であると推定する。
【００５５】
このような注意力推定システム１によれば、視線角度の変化状況に加え、瞬きの頻度も加味するので、より精度よく監視対象者の状態を推定することができる。
さらに、上記注意力推定システム１において制御部１０は、マイクロサッカード情報として、マイクロサッカードの発生頻度も取得し、この発生頻度も加味して監視対象者の状態を推定する。特に、マイクロサッカードの発生頻度が高く（低く）なるにつれて、より監視対象者の集中力が高い（低い）状態であると推定する。
【００５６】
このような注意力推定システム１によれば、マイクロサッカード情報にマイクロサッカードの発生頻度を含むので、より多くの情報を用いてより高精度に監視対象者の状態を推定することができる。
【００５７】
また、上記注意力推定システム１において制御部１０は、監視対象者の視線方向に含まれる視認対象物に対する集中力の程度を状態として推定する。
このような注意力推定システム１によれば、視認対象物を監視対象者が集中して見ているか見ていないかを推定することができる。
【００５８】
さらに、上記注意力推定システム１において制御部１０は、監視対象者の状態に応じて（特に、注意力が低下していると判定された場合に）警報を行う。
このような注意力推定システム１によれば、警報を行うので、監視対象者に状態が不良であることを気付かせることができる。また、このようにすることで監視対象者の状態を改善させることができる。
【００５９】
また、上記注意力推定システム１において制御部１０は、車両に搭載され、監視対象者として車両の運転者の状態を推定するよう構成されている。
このような注意力推定システム１よれば、車両の運転者の注意状態を推定するので、漫然運転による交通事故を抑制することができる。
【００６０】
［その他の実施形態］
本発明は、上記の実施形態によって何ら限定して解釈されない。また、上記の実施形態の構成の一部を、課題を解決できる限りにおいて省略した態様も本発明の実施形態である。また、上記の複数の実施形態を適宜組み合わせて構成される態様も本発明の実施形態である。また、特許請求の範囲に記載した文言のみによって特定される発明の本質を逸脱しない限度において考え得るあらゆる態様も本発明の実施形態である。また、上記の実施形態の説明で用いる符号を特許請求の範囲にも適宜使用しているが、各請求項に係る発明の理解を容易にする目的で使用しており、各請求項に係る発明の技術的範囲を限定する意図ではない。
【００６１】
例えば、上記実施形態においては、車両において本発明を適用したが、車両に限らず監視対象者の状態を推定する必要がある状況において本発明を適用することができる。また、上記実施形態においては、監視対象者の状態を推定する際に停留時間比を利用したが、例えば停留時間等の他のパラメータを採用してもよい。
【００６２】
さらに、上記実施形態においては、各閾値を一般的な監視対象者の平均値に基づく値に設定したが、個々の監視対象者のマイクロサッカードに関する情報をデータベース化して保持しておき、このデータベースに基づいて監視対象者毎に各閾値を変更して設定してもよい。
【００６３】
また、上記実施形態においては、監視対象者の状態を、良好または不良の２段階で評価したが、多段階で評価してもよい。この場合、上述したように、監視対象者の状態が良好になるにつれて、それぞれのマイクロサッカード情報が増加または減少するという傾向を鑑みて評価を行えばよい。
【００６４】
また、上記注意力推定システム１において制御部１０は、車両の走行状態または走行環境を示す車両パラメータを取得し、車両パラメータに基づいてマイクロサッカード情報を補正するようにしてもよい。
【００６５】
具体的には、図２（ｂ）に示すように、Ｓ１５およびＳ２５の処理の間において車両情報を取得しておき（Ｓ２０）、図７に示すように、Ｓ３２５およびＳ３３０の処理の間においてＳ４１０およびＳ４２０の処理を実施するようにすればよい。ここで、車両情報は、車両の舵角、走行速度等の車両の走行状態や、周囲の明るさ、路面状態等の走行環境を示す。
【００６６】
また、Ｓ４１０およびＳ４２０の処理では、図７に示すように、車速に基づく速度重み付け係数Ｗａ、舵角に基づく舵角重み付け係数Ｗｂを設定する。なお、速度重み付け係数Ｗａは速度増大に応じて減少するよう設定され、舵角に基づく舵角重み付け係数Ｗｂは舵角増大に応じて増大するよう設定される。
【００６７】
そして、Ｓ３３５の処理において、求められた総合値Ｓに各係数Ｗａ、Ｗｂを順次乗じることで新たな総合値Ｓを得て、以後の処理では新たな総合値Ｓが利用される。
このような変形例の注意力推定システム１によれば、車両パラメータに応じて注意力が欠如しやすい状況であれば、監視対象者の状態が不良であると判断しやすくし、注意力が欠如しにくい状況であれば、監視対象者の状態が良好であると判断しやすくすることができる。
【００６８】
さらに、上記実施形態では、「マイクロサッカードが発生したときの視線角度の変化状況」の具体例として「振幅」を採用する場合について説明したが、「振幅」以外の値を採用してもよい。
【００６９】
［実施形態の構成と本発明の手段との対応関係］
上記実施形態において、制御部１０は本発明でいう状態推定装置に相当する。また、上記実施形態において制御部１０が実行する処理のうちＳ１５の処理は本発明でいうマイクロサッカード情報取得手段に相当し、上記実施形態においてＳ２５の処理は本発明でいう状態推定手段に相当する。
【００７０】
さらに、上記実施形態においてＳ２４０の処理は本発明でいう瞬き頻度取得手段に相当し、上記実施形態においてＳ３５０の処理は本発明でいう警報手段に相当する。また、上記実施形態においてＳ４１０およびＳ４２０の処理は本発明でいう車両パラメータ取得手段に相当し、上記実施形態においてＳ３３０の処理は本発明でいうマイクロサッカード情報補正手段に相当する。
【符号の説明】
【００７１】
１…注意力推定システム、１０…制御部、１１…ＣＰＵ、１２…メモリ、２１…カメラ、２２…照明部、２５…舵角センサ、２６…車速センサ、３１…警報部。
【図１】
2015116376.tif 000003
【図２】
2015116376.tif 000004
【図３】
2015116376.tif 000005
【図４】
2015116376.tif 000006
【図５】
2015116376.tif 000007
【図６】
2015116376.tif 000008
【図７】
2015116376.tif 000009